(57)【要約】  コアネットワーク（１１１）内の第１のエンティティ（１２３）は、 Ｍａｃｈｉｎｅ  Ｔｙｐｅ  Ｃｏｍｍｕｎｉｃａｔｉｏｎ（ＭＴＣ）デバイス（１１１）の移動特性を示す第１のメッセージ（Ｓ１０１）を、アプリケーション・プログラミング・インタフェース（ＡＰＩ）をＭＴＣアプリケーションサーバ（１３２）に対して提供するＭＴＣサービスプラットフォーム（１３０）から受信する。コアネットワーク（１１１）内の第２のエンティティ（１２１又は１２２）は、ＭＴＣデバイス（１１１）に個別に適用される周期的な位置更新タイマの長さ及びページングエリアのサイズのうち少なくとも一方を、ＭＴＣサービスプラットフォーム（１３１）から受信した移動特性に基づいて更新する。
2016009579.tif 000002
【特許請求の範囲】
【請求項１】
Machine Type Communication（MTC）デバイスのモビリティ管理方法であって、
コアネットワーク内の第１のエンティティにおいて、前記MTCデバイスの移動特性を示す第１のメッセージを、前記コアネットワーク及び無線アクセスネットワークを含む移動通信ネットワークによって提供されるサービスを利用できるようにするためのアプリケーション・プログラミング・インタフェース（API）をMTCアプリケーションサーバに対して提供するMTCサービスプラットフォームから受信すること、及び
前記コアネットワーク内の第２のエンティティにおいて、（ａ）前記MTCデバイスに個別に適用される周期的な位置更新タイマの長さ及び（ｂ）前記MTCデバイスに個別に適用されるページングエリアのサイズのうち少なくとも一方を前記移動特性に基づいて更新すること、
を備える、モビリティ管理方法。
【請求項２】
前記第１のエンティティは、前記MTCサービスプラットフォームとの第１のシグナリング・インタフェースを有するとともに、前記第２のエンティティとの第２のシグナリング・インタフェースを有するコントロールプレーン・エンティティであり、
前記第２のエンティティは、前記MTCデバイスの加入者情報を管理する加入者サーバであり、
前記更新することは、前記第２のシグナリング・インタフェースを介して前記第１のエンティティから受信した前記移動特性に基づいて前記位置更新タイマの長さを更新することを含む、
請求項１に記載のモビリティ管理方法。
【請求項３】
前記第１のエンティティは、MTC Interworking Function（MTC-IWF）エンティティを含み、
前記第２のエンティティは、Home subscriber Server（HSS）を含む、
請求項２に記載のモビリティ管理方法。
【請求項４】
前記第１のエンティティは、前記MTCサービスプラットフォームとの第１のシグナリング・インタフェースを有するとともに、前前記MTCデバイスの加入者情報を管理する加入者サーバとの第２のシグナリング・インタフェースを有するコントロールプレーン・エンティティであり、
前記第２のエンティティは、前記MTCデバイスのモビリティ管理を行うエンティティであり、
前記モビリティ管理方法は、前記第１のエンティティから前記加入者サーバに前記移動特性を知らせることを更に備え、
前記更新することは、前記加入者サーバから受信した前記移動特性に基づいて前記ページングエリアのサイズを更新することを含む、
請求項１に記載のモビリティ管理方法。
【請求項５】
前記第１のエンティティは、前記MTCサービスプラットフォームとの第１のシグナリング・インタフェースを有するとともに、前記第２のエンティティとの第２のシグナリング・インタフェースを有するコントロールプレーン・エンティティであり、
前記第２のエンティティは、前記MTCデバイスのモビリティ管理を行うエンティティであり、
前記モビリティ管理方法は、
前記第１のエンティティにおいて、前記MTCデバイスの加入者情報を管理する加入者サーバに問い合わせることによって前記MTCデバイスの前記モビリティ管理を行っている前記第２のエンティティを特定すること、及び
前記第１のエンティティから前記第２のエンティティに前記移動特性を知らせること、
を更に備え、
前記更新することは、前記第１のエンティティから受信した前記移動特性に基づいて前記ページングエリアのサイズを更新することを含む、
請求項１に記載のモビリティ管理方法。
【請求項６】
前記第１のエンティティは、MTC Interworking Function（MTC-IWF）エンティティを含み、
前記第２のエンティティは、Mobility Management Entity（MME）を含む、
請求項４又は５に記載のモビリティ管理方法。
【請求項７】
前記移動特性は、前記MTCデバイスの移動性の大きさを示す、請求項１〜６のいずれか１項に記載のモビリティ管理方法。
【請求項８】
前記MTCデバイスは、車両に取り付けられるデバイスであり、
前記移動特性は、前記車両が走行中であるか否か、又は前記車両のエンジンが始動されているか否かを示す、
請求項１〜６のいずれか１項に記載のモビリティ管理方法。
【請求項９】
前記MTCデバイスは、貨物に取り付けられるデバイスであり、
前記移動特性は、前記貨物が輸送中であるか否かを示す、
請求項１〜６のいずれか１項に記載のモビリティ管理方法。
【請求項１０】
前記MTCデバイスは、ウェアラブルデバイスであり、
前記移動特性は、前記MTCデバイスを身に付けた人が外出中であるか又は家にいるかを示す、
請求項１〜６のいずれか１項に記載のモビリティ管理方法。
【請求項１１】
前記MTCデバイスは、動物に取り付けられて動物を監視するにために使用されるデバイスであり、
前記移動特性は、前記動物が外出中であるか又は家にいるかを示す、
請求項１〜６のいずれか１項に記載のモビリティ管理方法。
【請求項１２】
コアネットワーク及び無線アクセスネットワークを含む移動通信ネットワークを介してMachine Type Communication（MTC）デバイスと通信するMTCアプリケーションサーバに対して前記移動通信ネットワークによって提供されるサービスを利用できるようにするためのアプリケーション・プログラミング・インタフェース（API）を提供するサービス能力エンティティによって行われる方法であって、
前記MTCデバイスの移動特性を示す第１のメッセージを前記コアネットワーク内のネットワーク・エンティティに送信することを備え、
前記第１のメッセージは、（ａ）前記MTCデバイスに個別に適用される周期的な位置更新タイマの長さ及び（ｂ）前記MTCデバイスに個別に適用されるページングエリアのサイズのうち少なくとも一方の前記コアネットワークにおける更新を引き起こす、
方法。
【請求項１３】
前記移動特性は、前記MTCデバイスの移動性の大きさを示す、請求項１２に記載の方法。
【請求項１４】
前記MTCデバイスは、車両に取り付けられるデバイスであり、
前記移動特性は、前記車両が走行中であるか否か、又は前記車両のエンジンが始動されているか否かを示す、
請求項１２に記載の方法。
【請求項１５】
前記MTCデバイスは、貨物に取り付けられるデバイスであり、
前記移動特性は、前記貨物が輸送中であるか否かを示す、
請求項１２に記載の方法。
【請求項１６】
前記MTCデバイスは、ウェアラブルデバイスであり、
前記移動特性は、前記MTCデバイスを身に付けた人が外出中であるか又は家にいるかを示す、
請求項１２に記載の方法。
【請求項１７】
前記MTCデバイスは、動物に取り付けられて動物を監視するにために使用されるデバイスであり、
前記移動特性は、前記動物が外出中であるか又は家にいるかを示す、
請求項１２に記載の方法。
【請求項１８】
コアネットワーク内に配置される加入者サーバであって、
Machine Type Communication（MTC）デバイスの加入者情報を格納するよう構成されたメモリと、
前記メモリに結合され、前記MTCデバイスのモビリティ管理を支援するための制御手順を行うよう構成されたプロセッサと、
を備え、
前記制御手順は、
前記MTCデバイスの移動特性を、MTCサービスプラットフォームから、前記コアネットワーク内のネットワーク・エンティティを介して受信すること、及び
前記MTCデバイスに個別に適用される周期的な位置更新タイマの長さを前記移動特性に基づいて更新すること、
を含む、加入者サーバ。
【請求項１９】
前記制御手順は、前記移動特性に基づいて更新された前記位置更新タイマを、前記MTCデバイスのモビリティ管理を行うエンティティに知らせることを更に含む、請求項１８に記載の加入者サーバ。
【請求項２０】
コアネットワーク内に配置されるモビリティ管理エンティティであって、
メモリと、
前記メモリに結合され、Machine Type Communication（MTC）デバイスのモビリティ管理を行うよう構成されたプロセッサと、
を備え、
前記モビリティ管理は、
前記MTCデバイスの移動特性を、MTCサービスプラットフォームから、前記コアネットワーク内のネットワーク・エンティティを介して受信すること、及び
前記MTCデバイスに個別に適用されるページングエリアのサイズを前記移動特性に基づいて更新すること、
を含む、モビリティ管理エンティティ。
【請求項２１】
コアネットワーク及び無線アクセスネットワークを含む移動通信ネットワークを介してMachine Type Communication（MTC）デバイスと通信するMTCサービスプラットフォームに対して前記移動通信ネットワークによって提供されるサービスを利用できるようにするためのアプリケーション・プログラミング・インタフェース（API）を提供するサービス能力エンティティであって、
メモリと、
前記メモリに結合され、請求項１２〜１７のいずれか１項に記載の方法を実行するよう構成されたプロセッサと、
を備える、サービス能力エンティティ。
【請求項２２】
コアネットワーク内に配置される加入者サーバによって行われる制御手順をコンピュータに行わせるためのプログラムを格納した非一時的なコンピュータ可読媒体であって、
前記制御手順は、
Machine Type Communication（MTC）デバイスの移動特性を、MTCサービスプラットフォームから、前記コアネットワーク内のネットワーク・エンティティを介して受信すること、及び
前記MTCデバイスに個別に適用される周期的な位置更新タイマの長さを前記移動特性に基づいて更新すること、
を備える、非一時的なコンピュータ可読媒体。
【請求項２３】
コアネットワーク内に配置されるモビリティ管理エンティティによって行われる制御手順をコンピュータに行わせるためのプログラムを格納した非一時的なコンピュータ可読媒体であって、
前記制御手順は、
Machine Type Communication（MTC）デバイスの移動特性を、MTCサービスプラットフォームから、前記コアネットワーク内のネットワーク・エンティティを介して受信すること、及び
前記MTCデバイスに個別に適用されるページングエリアのサイズを前記移動特性に基づいて更新すること、
を備える、非一時的なコンピュータ可読媒体。
【請求項２４】
コアネットワーク及び無線アクセスネットワークを含む移動通信ネットワークを介してMachine Type Communication（MTC）デバイスと通信するMTCサービスプラットフォームに対して前記移動通信ネットワークによって提供されるサービスを利用できるようにするためのアプリケーション・プログラミング・インタフェース（API）を提供するサービス能力エンティティによって行われる制御手順をコンピュータに行わせるためのプログラムを格納した非一時的なコンピュータ可読媒体であって、
前記制御手順は、前記MTCデバイスの移動特性を示す第１のメッセージを前記コアネットワーク内のネットワーク・エンティティに送信することを備え、
前記第１のメッセージは、（ａ）前記MTCデバイスに個別に適用される周期的な位置更新タイマの長さ及び（ｂ）前記MTCデバイスに個別に適用されるページングエリアのサイズのうち少なくとも一方の前記コアネットワークにおける更新を引き起こす、
非一時的なコンピュータ可読媒体。
【発明の詳細な説明】
【技術分野】
【０００１】
本明細書の開示は、移動通信ネットワークに関し、特にMachine Type Communication（MTC）デバイスのモビリティ管理に関する。
【背景技術】
【０００２】
Third Generation Partnership Project（3GPP）は、Machine Type Communication（MTC）の標準化を検討している。MTCは、Machine-to-Machine（M2M）ネットワーク又はセンサネットワークとも呼ばれる。3GPPは、MTCのために機械及びセンサに実装される移動局（Mobile station（MS）、Mobile Terminal（MT）、User Equipment（UE））を“MTCデバイス”と定義している。MTCデバイスは、機械（e.g., 自動販売機、ガスメータ、電気メータ、自動車、鉄道車両）及びセンサ（e.g., 環境、農業、交通等に関するセンサ）等の様々な機器に搭載される。MTCデバイスは、Public Land Mobile Network（PLMN）に接続し、MTCアプリケーションサーバ（Application Server（AS））と通信する。MTC アプリケーションサーバは、PLMNの外部（外部ネットワーク）に配置され、MTCアプリケーションを実行し、MTCデバイスに実装されたMTC UEアプリケーションと通信する。MTC アプリケーションサーバは、一般的に、MTCサービスプロバイダ（M2Mサービスプロバイダ）によって制御される。【０００３】
3GPPは、MTC アプリケーションサーバがMTCデバイスと通信できるようにするために、Service Capability Server （SCS）及びMachine Type Communication Inter Working Function（MTC-IWF）を含むネットワークエレメント、参照点（reference point）、及び手順（procedure）を規定している（非特許文献１を参照）。参照点（reference point）は、インタフェースとも呼ばれる。【０００４】
SCSは、MTCアプリケーションサーバを3GPPのPLMNに接続し、3GPPで定義されたPLMNサービスを介してMTCアプリケーションサーバがUE（つまり、MTCデバイス）と通信できるようにするエンティティである。また、SCSは、MTCアプリケーションサーバがMTC-IWFと通信できるようにする。すなわち、SCSは、3GPP PLMNによって提供されるサービス又は能力（capabilities）を利用できるようにするためのアプリケーション・プログラミング・インタフェース（Application Programming Interface（API））をMTC アプリケーションサーバに対して提供する。SCSは、PLMNのオペレータ、又はMTCサービスプロバイダによって制御されることが想定されている。１又は複数のSCSを含む仲介（intermediation）のための枠組み（framework）は、M2Mサービスプラットフォーム又はMTCサービスプラットフォームと呼ばれることもある。また、MTC アプリケーションサーバにAPIを提供する当該フレームワークは、Open Mobile Alliance（OMA）では、“エクスポージャーレイヤ（Exposure Layer）”と呼ばれる。【０００５】
MTC-IWFは、PLMNに属するコントロールプレーンのエンティティである。MTC-IWFは、SCSを含むM2Mサービスプラットフォームとのシグナリング・インタフェース（参照点）を有するとともに、PLMN内のノード（例えば、Home Subscriber Server（HSS）、Short Message Service - Service Center（SMS-SC）、Serving GPRS Support Node （SGSN）、Mobility Management Entity（MME）、Mobile Switching Center（MSC））とのシグナリング・インタフェース（参照点）を有する。MTC-IWFは、MTCアプリケーションサーバ又はM2Mサービスプラットフォームと3GPP PLMNとが、3GPP PLMN のトポロジの詳細を隠蔽しながら協調動作（interwork）するためのコントロールプレーンのインタフェースとして振る舞う。MTCアプリケーションサーバ又はM2Mサービプラットフォームは、3GPP PLMNを通してMTCデバイスと通信する。MTCアプリケーションサーバ又はM2Mサービプラットフォームは、ユーザプレーン上で又はデバイストリガーを介してMTCデバイスと通信してもよい。
【先行技術文献】
【非特許文献】
【０００６】
【非特許文献１】3GPP TS 23.682 V11.5.0 (2013-09) “3rd Generation Partnership Project; Technical Specification Group Services and System Aspects; Architecture enhancements to facilitate communications with packet data networks and applications (Release 11)”, 2013年9月
【発明の概要】
【発明が解決しようとする課題】
【０００７】
本件の発明者は、MTCアプリケーションの様々なユースケースについて検討した。例えば、MTCデバイスの移動性の大きさは、MTCデバイスの動作モード、使用状態、又は使用環境によって変動することが予想される。車両に搭載されたMTCデバイスを想定すると、車両が走行中であるか停車中であるかによって、MTCデバイスの移動性の大きさが変化する。さらに、車両のエンジンが始動されているか否かによって、MTCデバイスの移動性の大きさを推定できるかもしれない。また、MTCデバイスがウェアラブルデバイス（e.g., スマートウォッチ又はリストバンドデバイス）である場合を想定すると、ウェアラブルデバイスを身に付けた人が外出中であるか又は家にいるかによって、MTCデバイスの移動性の大きさが変化する。【０００８】
ここで、MTCデバイスの動作モード、使用状態、又は使用環境は、PLMNよりもMTCアプリケーションサーバ又はM2Mサービスプラットフォーム（e.g., SCS）において容易に知ることができる可能性があることに留意するべきである。なぜなら、MTCアプリケーションサーバ又はM2Mサービスプラットフォームは、PLMNを通してMTCデバイスとユーザプレーンで（アプリケーションレイヤで）自由に通信できるためである。あるいは、MTCアプリケーションサーバ又はM2Mサービスプラットフォームは、MTCデバイスが搭載された機械又はセンサに実装された他の通信手段を介して、MTCデバイスの使用状態や使用環境を知ることができるかもしれない。さらにまた、MTCアプリケーションサーバ又はM2Mサービスプラットフォームは、政府機関又は民間組織から発表される天候又は海洋に関する警報に基づいてMTCデバイスの動作モード、使用状態、又は使用環境を知ることができるかもしれない。【０００９】
したがって、PLMN内でのMTCデバイスのモビリティ管理をMTCデバイスの移動特性に応じて最適化するためには、MTCアプリケーションサーバ又はM2Mサービスプラットフォームにおいて得られるMTCデバイスの移動特性を利用できることが好ましいかもしれない。しかしながら、非特許文献１は、このような制御動作又は制御手順を想定していない。【００１０】
したがって、本明細書に開示される実施形態が達成しようとする目的の１つは、PLMN内でのMTCデバイスのモビリティ管理をMTCアプリケーションサーバ又はM2Mサービスプラットフォームにおいて得られるMTCデバイスの移動特性を利用して行うことに寄与する方法、装置、及びプログラムを提供することである。その他の目的又は課題と新規な特徴は、本明細書の記述又は添付図面から明らかにされる。
【課題を解決するための手段】
【００１１】
第１の態様では、MTCデバイスのモビリティ管理方法は、（Ａ）コアネットワーク内の第１のエンティティにおいて、前記MTCデバイスの移動特性を示す第１のメッセージを、前記コアネットワーク及び無線アクセスネットワークを含む移動通信ネットワークによって提供されるサービスを利用できるようにするためのアプリケーション・プログラミング・インタフェース（API）をMTCアプリケーションサーバに対して提供するMTCサービスプラットフォームから受信すること、及び（Ｂ）前記コアネットワーク内の第２のエンティティにおいて、前記MTCデバイスに個別に適用される周期的な位置更新タイマの長さ及びページングエリアのサイズのうち少なくとも一方を前記移動特性に基づいて更新すること、を含む。【００１２】
第２の態様では、MTCアプリケーションサーバに対してアプリケーション・プログラミング・インタフェース（API）を提供するサービス能力エンティティによって行われる方法は、MTCデバイスの移動特性を示す第１のメッセージをコアネットワーク内のネットワーク・エンティティに送信することを含む。前記第１のメッセージは、前記MTCデバイスに個別に適用される周期的な位置更新タイマの長さ及びページングエリアのサイズのうち少なくとも一方の前記コアネットワークにおける更新を引き起こす。【００１３】
第３の態様では、コアネットワーク内に配置される加入者サーバは、MTCデバイスの加入者情報を格納するよう構成されたメモリと、前記メモリに結合され、前記MTCデバイスのモビリティ管理を支援するための制御手順を行うよう構成されたプロセッサとを含む。前記制御手順は、（Ａ）前記MTCデバイスの移動特性を、MTCサービスプラットフォームから、前記コアネットワーク内のネットワーク・エンティティを介して受信すること、及び（Ｂ）前記MTCデバイスに個別に適用される周期的な位置更新タイマの長さを前記移動特性に基づいて更新すること、を含む。【００１４】
第４の態様では、コアネットワーク内に配置されるモビリティ管理エンティティは、メモリと、前記メモリに結合され、MTCデバイスのモビリティ管理を行うよう構成されたプロセッサとを含む。前記モビリティ管理は、（Ａ）前記MTCデバイスの移動特性を、MTCサービスプラットフォームから、前記コアネットワーク内のネットワーク・エンティティを介して受信すること、及び（Ｂ）前記MTCデバイスに個別に適用されるページングエリアのサイズを前記移動特性に基づいて更新すること、を含む。【００１５】
第５の態様では、MTCアプリケーションサーバに対してアプリケーション・プログラミング・インタフェース（API）を提供するサービス能力エンティティは、メモリと、前記メモリに結合され、上述の第２の態様に係る方法を実行するよう構成されたプロセッサとを含む。【００１６】
第６の態様では、プログラムは、コンピュータに読み込まれた場合に、コアネットワーク内に配置される加入者サーバによって行われる制御手順をコンピュータに行わせるための命令群（ソフトウェアコード）を含む。前記制御手順は、（Ａ）MTCデバイスの移動特性を、MTCサービスプラットフォームから、前記コアネットワーク内のネットワーク・エンティティを介して受信すること、及び（Ｂ）前記MTCデバイスに個別に適用される周期的な位置更新タイマの長さを前記移動特性に基づいて更新すること、を含む。【００１７】
第７の態様では、プログラムは、コンピュータに読み込まれた場合に、コアネットワーク内に配置されるモビリティ管理エンティティによって行われる制御手順をコンピュータに行わせるための命令群（ソフトウェアコード）を含む。前記制御手順は、（Ａ）MTCデバイスの移動特性を、MTCサービスプラットフォームから、前記コアネットワーク内のネットワーク・エンティティを介して受信すること、及び（Ｂ）前記MTCデバイスに個別に適用されるページングエリアのサイズを前記移動特性に基づいて更新すること、を含む。【００１８】
第８の態様では、プログラムは、コンピュータに読み込まれた場合に、上述の第２の態様に係る方法をコンピュータに行わせるための命令群（ソフトウェアコード）を含む。
【発明の効果】
【００１９】
上述の態様は、PLMN内でのMTCデバイスのモビリティ管理をMTCアプリケーションサーバ又はM2Mサービスプラットフォームにおいて得られるMTCデバイスの移動特性を利用して行うことに寄与する方法、装置、及びプログラムを提供できる。
【図面の簡単な説明】
【００２０】
【図１】本発明の実施形態に係る移動通信ネットワークの構成例を示す図である。
【図２】本発明の実施形態に係る周期的な位置更新タイマの更新手順の具体例を示すシーケンス図である。
【図３】本発明の実施形態に係るページングエリアの更新手順の具体例を示すシーケンス図である。
【図４】本発明の実施形態に係るページングエリアの更新手順の具体例を示すシーケンス図である。
【図５】本発明の実施形態に係るMMEの構成例を示すブロック図である。
【図６】本発明の実施形態に係るHSS/HLRの構成例を示すブロック図である。
【図７】本発明の実施形態に係るSCSの構成例を示すブロック図である。
【発明を実施するための形態】
【００２１】
以下では、具体的な実施形態について、図面を参照しながら詳細に説明する。各図面において、同一又は対応する要素には同一の符号が付されており、説明の明確化のため、必要に応じて重複説明は省略される。
【００２２】
図１は、本発明の実施形態に係る移動通信ネットワーク、つまりPLMN、の構成例を示している。当該移動通信ネットワークは通信サービス、例えば音声通信若しくはパケットデータ通信又はこれら両方を提供する。本実施形態では、当該移動通信ネットワークがEvolved Packet System（EPS）であるとして説明する。EPSは、Long Term Evolution（LTE）システム又はLTE-Advancedシステム）と呼ぶこともできる。しかしながら、本実施形態は、Universal Mobile Telecommunications System（UMTS）等の他の無線通信システムにも適用できる。
【００２３】
図１に示されたネットワークは、E-UTRAN１１０、EPC１２０、及びM2Mサービスプラットフォーム１３０を含む。E-UTRAN１１０は、MTCデバイス（MTC UE）１１１及びeNodeB１１２を含む。EPC１２０は、MME１２１、HSS/Home Location Register（HLR）１２２、MTC-IWF１２３、Serving Gateway（S-GW）１２４、及びPacket Data Network Gateway（P-GW）１２５を含む。M2Mサービスプラットフォーム１３０は、SCS１３１を含む。既に述べたように、M2Mサービスプラットフォーム１３０は、MTCサービスプラットフォーム又はエクスポージャーレイヤと呼ぶこともできる。
【００２４】
始めにE-UTRAN１１０内のエンティティについて説明する。MTC UE１１１は、MTC UEアプリケーションを実行し、MTCデバイスとして振る舞う。MTCデバイスとしてのMTC UE１１１は、E-UTRAN１１０を介してMME１２１との間でシグナリングコネクション（つまり、Non-Access Stratum（NAS）コネクション）を確立するとともに、S-GW１２４及びP-GW１２５を介してMTCアプリケーションサーバ１３２とユーザプレーンで通信する。
【００２５】
MTC UE１１１は、MTCゲートウェイ・デバイスであってもよい。MTCゲートウェイ・デバイスは、3GPP移動通信機能（つまり、UEの機能）を有するとともに、パーソナル／ローカルエリア接続技術によって近隣のデバイス（例えば、センサ、radio frequency identification （RFID）タグ、カーナビゲーション装置）と接続する。パーソナル／ローカルエリア接続技術の具体例は、IEEE 802.15、ZigBee（登録商標）、Bluetooth（登録商標）、IEEE 802.11aを含む。なお、MTCゲートウェイ・デバイスに接続する近隣のデバイスは、典型的には3GPP移動通信機能を有していないデバイスであるが、3GPP移動通信機能を有するデバイス（つまり、MTCデバイス）であってもよい。本明細書では、MTCデバイスの用語とMTCゲートウェイ・デバイスの用語を特に区別せずに使用する。つまり、本明細書において用いられるMTCデバイスの用語は、MTCゲートウェイ・デバイスを包含する。
【００２６】
eNodeB１１２は、MTC UE１１１との間にRadio Resource Control（RRC）コネクションを確立し、MTC UE１１１との間のシグナリング無線ベアラ（Signaling Radio Bearer (SRB)）を設定する。そして、eNodeB１１２は、データ無線ベアラ（Data Radio Bearer (DRB)）の設定及び修正（modify）等のためのRRCシグナリング、及びEPC１２０（つまり、MME１２１）とMTC UE１１１の間のNASメッセージ転送などをSRBにおいて提供する。NASメッセージは、E-UTRAN１１０で終端されず、MTC UE１１１とMME１２１の間で透過的に送受信される。さらに、eNodeB１１２は、MTC UE１１１との間のDRBにおいてMTC UE１１１のユーザーデータを転送する。
【００２７】
次に、EPC１２０内のエンティティについて説明する。MME１２１、HSS/HLR１２２、及びMTC-IWF１２３は、コントロールプレーンのノード又はエンティティである。MME１２１は、EPC１２０にアタッチ済み（つまり、EMM-REGISTERED state）のMTC UE１１１を含む複数のUE（UEs）のモビリティ管理及びベアラ管理を行う。モビリティ管理は、UEの現在位置を追跡する（keep track）するために使用され、UEに関するモビリティ管理コンテキスト（MM context）を維持することを含む。ベアラ管理は、UEがE-UTRAN１１０及びEPC１２０を経由して外部ネットワーク（Packet Data Network（PDN））と通信するためのEPSベアラの確立を制御し、UEに関するEPS bearer contextを維持することを含む。
【００２８】
HSS/HLR１２２は、MTC UE１１１を含むUEsの加入者情報を管理する。また、HSS/HLR１２２は、EPC１２０にアタッチ済み（EMM-REGISTERED state）のUEsの各々を管理しているMMEの情報（MME Identityなど）を記録する。
【００２９】
MTC-IWF１２３は、EPC１２０に属するコントロールプレーンのエンティティである。MTC-IWF１２３は、シグナリング・インタフェース（参照点）を介してMME１２１及びHSS/HLR１２２を含む他のネットワーク・エンティティと通信する。既に述べたように、MTC-IWF１２３は、MTCアプリケーションサーバ１３２又はM2Mサービスプラットフォーム１３０と3GPP PLMNとが、3GPP PLMN のトポロジの詳細を隠蔽しながら協調動作（interwork）するためのコントロールプレーンのインタフェース又はゲートウェイとして振る舞う。
【００３０】
MTC-IWF１２３は、Tsp参照点を介してSCS１３１と通信する。SCS１３１は、E-UTRAN１１０及びEPC１２０を含むPLMNにMTCアプリケーションサーバ１３２を接続し、3GPPで定義されたPLMNサービスを介してMTCアプリケーションサーバ１３２がMTC UE１１１（つまり、MTCデバイス）と通信できるようにする。Tsp参照点は、例えば、SCS１３１からMTC-IWF１２３へのデバイストリガーの送信要求（Device Trigger Request（DTR））の送信、MTC-IWF１２３からSCS１３１へのデバイストリガー結果の報告のために用いられてもよい。
【００３１】
MTC-IWF１２３は、S6m参照点を介してHSS/HLR１２２と通信する。S6m参照点は、例えば、MTC-IWF１２３からHSS/HLR１２２へ加入者情報の問い合わせを送信するため、及びHSS/HLR１２２からMTC-IWF１２３へ加入者情報を送信するために用いられもよい。
【００３２】
MTC-IWF１２３は、T5b参照点を介してMME１２１と通信する。T5b参照点は、例えば、MTC-IWF１２３からMME１２１へデバイストリガー要求を送信するため、及びMME１２１からMTC-IWF１２３へのデバイストリガーの成功又は失敗を報告するために用いられもよい。
【００３３】
S-GW１２４は、EPC１２０に配置されたユーザプレーンのパケット転送ノードであり、MTC UE１１１のユーザーデータパケットを転送する。S-GW１２４は、E-UTRAN１１０とのゲートウェイの役割を担う。S-GW１２４は、E-UTRAN１１０との間にユーザプレーンのトンネリング・インタフェース（i.e., S1-U参照点）を有し、P-GW１２５との間にユーザプレーンのトンネリング・インタフェース（i.e., S5/S8参照点）を有する。S-GW１２４は、MME１２１との間にシグナリング・インタフェース（i.e., S11参照点）を有する。
【００３４】
P-GW１２５は、S-GW１２４と同様に、EPC１２０に配置されたユーザプレーンのパケット転送ノードであり、MTC UE１１１のユーザーデータパケットを転送する。P-GW１２５は、3GPP PLMNの外部のPDNとのゲートウェイの役割を担い、MTC UE１１１にPDNとのコネクティビティを提供する。図１の例では、PDNは、SCS１３１及びアプリケーションサーバ１３２を含む。
【００３５】
続いて、PLMN（E-UTRAN１１０及びEPC１２０）の外部に配置されるエンティティについて説明する。SCS１３１を含むM2Mサービスプラットフォーム１３０及びMTCアプリケーションサーバ１３２は、E-UTRAN１１０及びEPC１２０を通してMTC UE１１１と通信する。
【００３６】
SCS１３１は、MTCアプリケーションサーバ１３２がMTC-IWF１２３と通信できるようにするために、１又は複数のAPIをMTCアプリケーションサーバ１３２に提供する。SCS１３１は、PLMNのオペレータ、又はMTCサービスプロバイダによって制御される。SCS１３１は、MTCサーバ、M2Mサーバ、又はAPI Gateway Function（API-GWF）とも呼ばれる。SCS１３１は、ユーザプレーン上で又はデバイストリガーを介してMTC UE１１１と通信してもよい。SCS１３１は、単体の独立した物理的なエンティティであってもよいし、他のネットワーク要素（例えば、MTC-IWF１２３又はMTCアプリケーションサーバ１３２）に付加された機能的なエンティティであってもよい。
【００３７】
MTCアプリケーションサーバ１３２は、MTCアプリケーションを実行し、MTC UE１１１に実装されたMTC UEアプリケーションと通信する。MTCアプリケーションサーバ１３２は、M2Mアプリケーションサーバとも呼ばれる。
【００３８】
さらに、本実施形態では、E-UTRAN１１０及びEPC１２０を含む移動通信ネットワーク（PLMN）は、MTC UE１１１の挙動（behavior）又は特性（characteristics）を示すデバイス情報をM2Mサービスプラットフォーム１３０から受信する。ここで、MTC UE１１１に関する当該デバイス情報は、MTC UE１１１の移動特性を示す。そして、E-UTRAN１１０及びEPC１２０を含むPLMNは、M2Mサービスプラットフォーム１３０から知らされたMTC UE１１１のデバイス情報に基づいて、（ａ）MTC UE１１１に個別に適用される周期的な位置更新タイマ（i.e., periodic Tracking Area Update (TAU) timer）の長さ、及び（ｂ）MTC UE１１１に個別に適用されるページングエリアのサイズのうち少なくとも一方を更新する。
【００３９】
周期的TAUタイマは、MTC UE１１１による周期的な位置更新（つまり、TAU）のインターバルを規定する。周期的TAUタイマは、T3412 timerと呼ばれる。MME１２１は、NASメッセージ（具体的には、ATTACH ACCEPTメッセージ又はTAU ACCEPTメッセージ）を用いて、周期的TAUタイマの値をMTC UE１１１に送る。MTC UE１１１は、MME１２１から受信したタイマ値を使用し、周期的なTAUを実行する。
【００４０】
ページングエリアは、MME１２１によって決定され、MTC UE１１１を呼び出す（page）ためにMME１２１から送られたページングメッセージが無線送信される範囲を規定する。ページングエリアは、一般的に、MME１２１において把握されているMTC UE１１１の位置登録エリア（つまり、tracking area (TA)）に基づいて決定され、複数のセル及び複数の基地局（eNodeB）を含む。
【００４１】
具体的には、M2Mサービスプラットフォーム１３０（e.g., SCS１３１）は、MTC UE１１１に関するデバイス情報をMTC-IWF１２３に送信すればよい。そして、MTC-IWF１２３は、当該デバイス情報をMME１２１若しくはHSS/HLR１２２又はこれら両方に送信すればよい。MTC-IWF１２３を介してMME１２１若しくHSS/HLR１２２又はこれら両方に送られたデバイス情報は、MTC UE１１１のための周期的TAUタイマの値若しくはページングエリアのサイズ又はこれら両方を決定するために利用される。
【００４２】
M2Mサービスプラットフォーム１３０（e.g., SCS１３１）から知らされたデバイス情報がMTC UE１１１の移動性が大きいことを示す場合に、MME１２１及びHSS/HLR１２２を含むEPC１２０は、MTC UE１１１に個別に適用される周期的TAUタイマを短くしてもよい。言い換えると、EPC１２０は、MTC UE１１１の移動性が大きくなるにつれてMTC UE１１１のための周期的TAUタイマを短くしてもよい。これにより、EPC１２０は、アイドル状態（ECM_IDLE状態）のMTC UE１１１の現在位置を正確に把握することができる。これとは反対に、EPC１２０は、MTC UE１１１の移動性が小さくなるにつれてMTC UE１１１のための周期的TAUタイマを長くしてもよい。これにより、EPC１２０は、頻繁なTAUに起因するシグナリング負荷を低減できる。
【００４３】
また、M2Mサービスプラットフォーム１３０（e.g., SCS１３１）から知らされたデバイス情報がMTC UE１１１の移動性が大きいことを示す場合に、EPC１２０は、MTC UE１１１に個別に適用されるページングエリアのサイズを大きくしてもよい。言い換えると、EPC１２０は、MTC UE１１１の移動性が大きくなるにつれてMTC UE１１１のためのページングエリアのサイズを大きくしてもよい。これにより、EPC１２０は、ページングの失敗を軽減できる。これとは反対に、EPC１２０は、MTC UE１１１の移動性が小さくなるにつれてMTC UE１１１のためのページングエリアのサイズを小さくしてもよい。これにより、E-UTRAN１１０及びEPC１２０は、多くのセルにおいてMTC UE１１１を呼び出す（page）することに起因するページング負荷を軽減できる。
【００４４】
以下では、M2Mサービスプラットフォーム１３０（e.g., SCS１３１）からMTC-IWF１２３に知らされるMTC UE１１１に関するデバイス情報のいくつかの具体例を示す。既に述べたように、当該デバイス情報は、MTC UE１１１の移動特性を示す。一例において、MTC UE１１１の移動特性は、MTC UE１１１の移動性（mobility）の大きさを示してもよい。
【００４５】
M2Mサービスの一例は、高度交通システム（Intelligent Transport Systems（ITS））サービスである。MTC UE１１１が車両に搭載されるデバイスである場合、デバイス情報によって示される移動特性は、当該車両が走行中であるか否か、又は当該車両のエンジンが始動されているか否かを示してもよい。車両が走行中であることからは、そうでない場合に比べて、MTC UE１１１の移動性が大きいことを推測できる。また、車両のエンジンが始動されていることからも、そうでない場合に比べて、MTC UE１１１の移動性が大きいことを推測できる。
【００４６】
M2Mサービスの他の例は、物流（ロジスティクス）サービスにおける貨物の追跡である。MTC UE１１１が貨物に取り付けられるデバイスである場合、デバイス情報によって示される移動特性は、当該貨物が輸送中であるか又は配送センターに置かれているかを示してもよい。貨物が輸送中であることからは、配送センターに置かれている場合に比べて、MTC UE１１１の移動性が大きいことを推測できる。
【００４７】
M2Mサービスの更なる例は、ウェアラブルデバイスを用いたヘルスケア・サービス又はホームセキュリティ・サービスである。MTC UE１１１がウェアラブルデバイスである場合、デバイス情報によって示される移動特性は、MTC UE１１１を身に付けた人が外出中であるか又は家にいるかを示してもよい。人が外出中であることからは、家にいる場合に比べて、MTC UE１１１の移動性が大きいことを推測できる。
【００４８】
M2Mサービスの更に他の例は、ペットのモニタリングサービスである。MTC UE１１１が動物に取り付けられて動物を監視するにために使用されるデバイスである場合、デバイス情報によって示される移動特性は、当該動物が外出中であるか又は家にいるかを示してもよい。動物が外出中であることからは、家にいる場合に比べて、MTC UE１１１の移動性が大きいことを推測できる。
【００４９】
続いて以下では、周期的TAUタイマの値及びページングエリアのサイズを更新する手順の具体例について説明する。図２は、周期的TAUタイマの値を更新する手順の具体例を示している。ステップＳ１０１では、SCS１３１は、UE CHARACTERISTICS NOTIFYメッセージをMTC-IWF１２３に送信する。SCS１３１は、MTC UE１１１のUE特性（具体的には移動特性）の変化を検出したことに応じて、UE CHARACTERISTICS NOTIFYメッセージを送信してもよい。
【００５０】
UE CHARACTERISTICS NOTIFYメッセージは、MTC UE１１１の外部識別子（External ID）及びMTC UE１１１の移動情報を示す。外部識別子は、M2Mサービスプラットフォーム１３０又はMTCアプリケーションサーバ１３２においてMTC UE１１１を識別するために使用される。外部識別子は、例えば、Mobile Subscriber Integrated Services Digital Network Number（MSISDN）であってもよい。MTC UE１１１の移動情報は、MTC UE１１１の移動特性を示す。
【００５１】
ステップＳ１０２では、MTC-IWF１２３は、UE CHARACTERISTICS NOTIFYメッセージをHSS/HLR１２２に転送する。ステップＳ１０３では、HSS/HLR１２２は、UE CHARACTERISTICS NOTIFYメッセージを受信し、MTC UE１１１の外部識別子に基づいてMTC UE１１１の内部識別子（Internal ID）を検索する。内部識別子は、例えば、International Mobile Subscriber Identity（IMSI）であってもよい。
【００５２】
ステップＳ１０４では、MTC UE１１１の内部識別子（e.g., IMSI）と関連付けて記憶されているMTC UE１１１のための周期的TAUタイマの値を更新する。周期的TAUタイマの値は、MTC UE１１１の加入者情報の一部としてHSS/HLR１２２に格納されてもよい。ステップＳ１０５では、HSS/HLR１２２は、応答メッセージ（ACKメッセージ）をMTC-IWF１２３に返信する。ステップＳ１０６では、MTC-IWF１２３は、応答メッセージ（ACKメッセージ）をSCS１３１に返信する。
【００５３】
ステップＳ１０７では、HSS/HLR１２２は、MTC UE１１１に個別に適用される周期的TAUタイマの値の更新をMME１２１に知らせる。HSS/HLR１２２は、更新された周期的TAUタイマの値を知らせるために、MME１２１とHSS/HLR１２２の間のS6aインタフェースにおいて送信されるDiameterメッセージを使用することができる。図２に示されているように、INSERT SUBSCRIBER DATAメッセージが使用されてもよい。INSERT SUBSCRIBER DATAメッセージは、加入者情報をMME１２１に自発的に知らせるためにHSS/HLR１２２によって使用される。SUBSCRIBER DATAメッセージは、MTC UE１１１の内部識別子（MSISDN）及び加入者情報（ここでは、更新された周期的TAUタイマの値）を示す。
【００５４】
ステップＳ１０８では、MME１２１は、更新された周期的TAUタイマの値をMTC UE１１１に知らせる。MME１２１は、更新された周期的TAUタイマの値を知らせるためにNASメッセージを使用する。図２に示されているように、MME１２１は、更新された周期的TAUタイマの値をHSS/HLR１２２から知らされた後に行われるTAU手順において、更新された周期的TAUタイマの値を示すTAU ACCEPTメッセージをMTC UE１１１に送ってもよい。MTC UE１１１は、MME１２１から知らされた周期的TAUタイマの更新値を用いて周期的なTAUを実行する。
【００５５】
図３は、ページングエリアのサイズを更新する手順の具体例を示している。ステップＳ２０１〜Ｓ２０３で行われる処理は、図２のステップＳ１０１〜Ｓ１０３で行われる処理と同様である。
【００５６】
ステップＳ２０４では、HSS/HLR１２２は、UE CHARACTERISTICS NOTIFYメッセージを、MTC UE１１１のモビリティ管理を行っているMME１２１に送信する。ステップＳ２０４で送信されるUE CHARACTERISTICS NOTIFYメッセージは、MTC UE１１１を特定するために内部識別子（e.g., IMSI）を含む。ステップＳ２０５では、MME１２１は、MTC UE１１１の内部識別子（e.g., IMSI）と関連付けて記憶されているMTC UE１１１のためのページングエリアのサイズを更新する。MME１２１は、MTC UE１１１のMM contextの一部としてページングエリアのサイズを保持してもよい。MME１２１は、MTC UE１１１を呼び出す際に、更新されたページングエリアのサイズに従ってページングエリアを決定する。
【００５７】
ステップＳ２０６では、MME１２１は、応答メッセージ（ACKメッセージ）をHSS/HLR１２２に返信する。ステップＳ２０７では、HSS/HLR１２２は、応答メッセージ（ACKメッセージ）をMTC-IWF１２３に返信する。ステップＳ２０８では、MTC-IWF１２３は、応答メッセージ（ACKメッセージ）をSCS１３１に返信する。
【００５８】
図４は、ページングエリアのサイズを更新する手順の他の具体例を示している。上述した図３の例では、MME１２１は、MTC UE１１１の移動特性を示すUE CHARACTERISTICS NOTIFYメッセージをHSS/HLR１２２からS6a参照点を介して受信する。これに対して、図４の例では、MME１２１は、MTC UE１１１の移動特性を示すUE CHARACTERISTICS NOTIFYメッセージをMTC-IWF１２３からT5b参照点を介して受信する。
【００５９】
図４のステップＳ３０１で行われる処理は、図２のステップＳ１０１及び図３のステップＳ２０１で行われる処理と同様である。ステップＳ３０２では、MTC-IWF１２３は、MTC UE１１１の内部識別子（e.g., IMSI）を取得するために、MTC UE１１１の外部識別子（e.g., MSISDN）に対応する内部識別子をHSS/HLR１２２に問い合わせる。MTC-IWF１２３は、MTC UE１１１の外部識別子に対応する加入者情報をHSS/HLR１２２に要求すればよい。ステップＳ３０３では、HSS/HLR１２２は、MTC UE１１１の外部識別子に基づいてMTC UE１１１の内部識別子を検索する。そして、HSS/HLR１２２は、MTC UE１１１の内部識別子（e.g., IMSI）、及びMTC UE１１１のモビリティ管理を行っているMMEの識別子（MME Identity）を示す応答メッセージをMTC-IWF１２３に送信する。MME Identityは、例えば、Globally Unique MME Identity（GUMMEI）若しくはMMEのIPアドレス又はこれら両方であってもよい。なお、MTC UE１１１の内部識別子がMTC-IWF１２３において既知である場合、ステップＳ３０２及びＳ３０３は省略されてもよい。
【００６０】
ステップＳ３０４では、MTC-IWF１２３は、UE CHARACTERISTICS NOTIFYメッセージを、MTC UE１１１のモビリティ管理を行っているMME１２１に送信する。ステップＳ３０４で送信されるUE CHARACTERISTICS NOTIFYメッセージは、MTC UE１１１を特定するために内部識別子（e.g., IMSI）を含む。
【００６１】
ステップＳ３０５で行われる処理は、図３のステップＳ２０５で行われる処理と同様である。ステップＳ３０６では、MME１２１は、応答メッセージ（ACKメッセージ）をMTC-IWF１２３に返信する。ステップＳ３０７では、MTC-IWF１２３は、応答メッセージ（ACKメッセージ）をSCS１３１に返信する。
【００６２】
以上の説明から理解されるように、本実施形態では、EPC１２０内のMTC-IWF１２３は、MTC UE１１１の移動特性を示すメッセージ（e.g., UE CHARACTERISTICS NOTIFYメッセージ）をM2Mサービスプラットフォーム１３０内のエンティティ（e.g., SCS１３１）から受信する。そして、EPC１２０内のMME１２１は、M2Mサービスプラットフォーム１３０から知らされたMTC UE１１１の移動特性に基づいて、MTC UE１１１に個別に適用される周期的TAUタイマ若しくはページングエリアのサイズ又はこれら両方を決定する。したがって、本実施形態に係るEPC１２０は、PLMN内でのMTCデバイス（i.e., MTC UE１１１）のモビリティ管理をM2Mサービスプラットフォーム１３０又はMTCアプリケーションサーバ１３２において得られるMTCデバイス（i.e., MTC UE１１１）の移動特性を利用して行うことができる。
【００６３】
最後に、上述の実施形態に係るMME１２１、HSS/HLR１２２、及びSCS１３１の構成例について説明する。図５は、MME１２１の構成例を示している。
【００６４】
図５を参照すると、MME１２１は、ネットワークインタフェース１２１０、プロセッサ１２１１、及びメモリ１２１２を含む。ネットワークインタフェース１２１０は、他のネットワークノード（e.g., eNodeB１１２、HSS/HLR１２２、MTC-IWF１２３、及びS-GW１２４）と通信するために使用される。ネットワークインタフェース１２１０は、例えば、IEEE 802.3 seriesに準拠したネットワークインタフェースカード（NIC）を含んでもよい。
【００６５】
プロセッサ１２１１は、メモリ１２１２からソフトウェア（コンピュータプログラム）を読み出して実行することで、通信制御（e.g.,モビリティ管理及びベアラ管理）を実行する。プロセッサ１２１１は、例えば、マイクロプロセッサ、Micro Processing Unit（MPU）、又はCentral Processing Unit（CPU）であってもよい。プロセッサ１２１１は、複数のプロセッサを含んでもよい。
【００６６】
メモリ１２１２は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、例えば、マスクRead Only Memory（MROM）、Programmable ROM（PROM）、フラッシュメモリ、若しくはハードディスクドライブ、又はこれらの組合せである。また、メモリ１２１２は、プロセッサ１２１１から物理的に離れて配置されたストレージを含んでもよい。この場合、プロセッサ１２１１は、ネットワークインタフェース１２１０又は図示されていない他のI/Oインタフェースを介してメモリ１２１２にアクセスしてもよい。
【００６７】
図５の例では、メモリ１２１２は、S1-MMEモジュール１２１３、S6aモジュール１２１４、S10モジュール１２１５、S11モジュール１２１６、NASモジュール１２１７、並びにEPS Mobility Management（EMM）及びEPS Session Management（ESM）モジュール１２１８を含むソフトウェアモジュール群を格納するために使用される。EMM 及びESMモジュール１２１８は、上述の実施形態で説明された、M2Mサービスプラットフォーム１３０から知らされたMTC UE１１１の移動特性に基づく周期的TAUタイマの値及びページングエリアのサイズの更新手順を実行するための命令群およびデータを含む。プロセッサ１２１１は、EMM 及びESMモジュール１２１８をメモリ１２１２から読み出して実行することで、上述の実施形態で説明された周期的TAUタイマの値及びページングエリアのサイズの更新手順に関するMME１２１の動作を行うことができる。
【００６８】
図６は、HSS/HLR１２２の構成例を示している。図６を参照すると、HSS/HLR１２２は、ネットワークインタフェース１２２０、プロセッサ１２２１、及びメモリ１２２２を含む。ネットワークインタフェース１２２０は、他のネットワークノード（e.g., MME１２１及びMTC-IWF１２３）と通信するために使用される。ネットワークインタフェース１２２０は、例えば、IEEE 802.3 seriesに準拠したネットワークインタフェースカード（NIC）を含んでもよい。
【００６９】
プロセッサ１２２１は、メモリ１２２２からソフトウェア（コンピュータプログラム）を読み出して実行することで、加入者情報の管理を含む通信制御を実行する。プロセッサ１２２１は、例えば、マイクロプロセッサ、MPU、又はCPUであってもよい。プロセッサ１２２１は、複数のプロセッサを含んでもよい。
【００７０】
メモリ１２２２は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１２２２は、プロセッサ１２２１から物理的に離れて配置されたストレージを含んでもよい。この場合、プロセッサ１２２１は、ネットワークインタフェース１２２０又は図示されていない他のI/Oインタフェースを介してメモリ１２２２にアクセスしてもよい。
【００７１】
図６の例では、メモリ１２２２は、S6aモジュール１２２３、S6mモジュール１２２４、及び加入者情報管理モジュール１２２５を含むソフトウェアモジュール群、並びに加入者情報データ１２２６を格納するために使用される。加入者情報管理モジュール１２２５は、上述の実施形態で説明された、M2Mサービスプラットフォーム１３０から知らされたMTC UE１１１の移動特性に基づく周期的TAUタイマの値及びページングエリアのサイズの更新手順を実行するための命令群およびデータを含む。プロセッサ１２２１は、加入者情報管理モジュール１２２５をメモリ１２２２から読み出して実行することで、上述の実施形態で説明された周期的TAUタイマの値及びページングエリアのサイズの更新手順に関するHSS/HLR１２２の動作を行うことができる。
【００７２】
図７は、SCS１３１の構成例を示している。図７を参照すると、SCS１３１は、ネットワークインタフェース１３１０、プロセッサ１３１１、及びメモリ１３１２を含む。ネットワークインタフェース１３１０は、他のネットワークノード（e.g., MTC-IWF１２３及びMTCアプリケーションサーバ１３２）と通信するために使用される。ネットワークインタフェース１３１０は、例えば、IEEE 802.3 seriesに準拠したネットワークインタフェースカード（NIC）を含んでもよい。
【００７３】
プロセッサ１３１１は、メモリ１３１２からソフトウェア（コンピュータプログラム）を読み出して実行することで、MTCデバイスのための通信制御（e.g., デバイストリガー、MTCデバイスの通信特性の取得）を実行する。プロセッサ１３１１は、例えば、マイクロプロセッサ、MPU、又はCPUであってもよい。プロセッサ１３１１は、複数のプロセッサを含んでもよい。
【００７４】
メモリ１３１２は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１３１２は、プロセッサ１３１１から物理的に離れて配置されたストレージを含んでもよい。この場合、プロセッサ１３１１は、ネットワークインタフェース１３１０又は図示されていない他のI/Oインタフェースを介してメモリ１３１２にアクセスしてもよい。
【００７５】
図７の例では、メモリ１３１２は、Tspモジュール１３１３、SGiモジュール１３１４、及びUE特性管理モジュール１３１５を含むソフトウェアモジュール群を格納するために使用される。UE特性管理モジュール１３１５は、上述の実施形態で説明された、M2Mサービスプラットフォーム１３０又はMTCアプリケーションサーバ１３２において把握されるMTC UE１１１の移動特性をEPC１２０（i.e., MTC-IWF１２３）に知らせる手順を実行するための命令群およびデータを含む。プロセッサ１３１１は、UE特性管理モジュール１３１５をメモリ１３１２から読み出して実行することで、上述の実施形態で説明された周期的TAUタイマの値及びページングエリアのサイズの更新手順に関するSCS１３１の動作を行うことができる。
【００７６】
図５〜図７を用いて説明したように、上述の実施形態に係るMME１２１、HSS/HLR１２２、及びSCS１３１が有するプロセッサの各々は、シーケンス図等を用いて説明されたアルゴリズムをコンピュータに行わせるための命令群を含む１又は複数のプログラムを実行する。
【００７７】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
＜その他の実施形態＞
図１に示されたアーキテクチャは、3GPPにおけるMTCのためのアーキテクチャの一例に過ぎない。例えば、M2Mサービスプラットフォーム１３０（MTCサービスプラットフォーム、エクスポージャーレイヤ）内に配置されるファンクション及びエンティティ並びにこれらの名称は、将来のリリース又はバージョンにおいて変更されるかもしれない。例えば、本実施形態において説明されたSCS１３１は、API Gateway Function（API-GWF）と呼ばれるかもしれない。あるいは、SCS１３１の機能は、SCSとAPI-GWFに分割して配置されるかもしれない。上述の実施形態で説明された技術思想は、これらの変形されたMTCのためのアーキテクチャにも適用することができる。
【００７９】
上述の実施形態では、主にEPSに関する具体例を用いて説明を行った。しかしながら、これらの実施形態は、その他の移動通信システム、例えば、Universal Mobile Telecommunications System（UMTS）、3GPP2 CDMA2000システム（1xRTT、High Rate Packet Data（HRPD））、Global System for Mobile communications（GSM（登録商標））/General packet radio service（GPRS）システム、及びモバイルWiMAXシステム等に適用されてもよい。
【００８０】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００８１】
この出願は、２０１４年７月１４日に出願された日本出願特願２０１４−１４４０７９を基礎とする優先権を主張し、その開示の全てをここに取り込む。
【符号の説明】
【００８２】
１１０  Evolved Universal Terrestrial Radio Access Network (E-UTRAN)
１１１  User Equipment (UE)
１１２  eNodeB
１２０  Evolved Packet Core (EPC)
１２１  Mobility Management Entity (MME)
１２２  Home Subscriber Server (HSS)
１２３  Machine Type Communication Inter Working Function (MTC-IWF)
１２４  Serving Gateway (S-GW)
１２５  Packet Data Network Gateway (P-GW)
１３０  Machine-to-Machine (M2M) サービスプラットフォーム
１３１  Service Capability Server (SCS)
１３２  MTC Application Server (AS)
【図１】
2016009579.tif 000003
【図２】
2016009579.tif 000004
【図３】
2016009579.tif 000005
【図４】
2016009579.tif 000006
【図５】
2016009579.tif 000007
【図６】
2016009579.tif 000008
【図７】
2016009579.tif 000009
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
コアネットワーク内に配置されるコアネットワークノードであって、
Machine Type Communication（MTC）デバイスの移動特性を、MTCサービスプラットフォームから、前記コアネットワーク内のネットワーク・エンティティを介して受信する手段、及び
（ａ）前記MTCデバイスに個別に適用される周期的な位置更新タイマの長さ及び（ｂ）前記MTCデバイスに個別に適用されるページングエリアのサイズのうち少なくとも一方を前記移動特性に基づいて更新する手段、
とを備える、コアネットワークノード。
【請求項２】
前記ネットワーク・エンティティは、前記MTCサービスプラットフォームとの第１のシグナリング・インタフェースを有するとともに、前記コアネットワークノードとの第２のシグナリング・インタフェースを有するコントロールプレーン・エンティティであり、
前記コアネットワークノードは、前記MTCデバイスの加入者情報を管理する加入者サーバであり、
前記更新する手段は、前記第２のシグナリング・インタフェースを介して前記ネットワーク・エンティティから受信した前記移動特性に基づいて前記位置更新タイマの長さを更新する、
請求項１に記載のコアネットワークノード。
【請求項３】
前記ネットワーク・エンティティは、前記MTCサービスプラットフォームとの第１のシグナリング・インタフェースを有するとともに、前前記MTCデバイスの加入者情報を管理する加入者サーバとの第２のシグナリング・インタフェースを有するコントロールプレーン・エンティティであり、
前記コアネットワークノードは、前記MTCデバイスのモビリティ管理を行うエンティティであり、
前記更新する手段は、前記ネットワーク・エンティティから前記加入者サーバを介して受信した前記移動特性に基づいて前記ページングエリアのサイズを更新することを含む、
請求項１に記載のコアネットワークノード。
【請求項４】
前記移動特性は、前記MTCデバイスの移動性の大きさを示す、請求項１〜３のいずれか１項に記載のコアネットワークノード。
【請求項５】
前記MTCデバイスは、車両に取り付けられるデバイスであり、
前記移動特性は、前記車両が走行中であるか否か、又は前記車両のエンジンが始動されているか否かを示す、
請求項１〜４のいずれか１項に記載のコアネットワークノード。
【請求項６】
前記MTCデバイスは、貨物に取り付けられるデバイスであり、
前記移動特性は、前記貨物が輸送中であるか否かを示す、
請求項１〜４のいずれか１項に記載のコアネットワークノード。
【請求項７】
前記MTCデバイスは、ウェアラブルデバイスであり、
前記移動特性は、前記MTCデバイスを身に付けた人が外出中であるか又は家にいるかを示す、
請求項１〜４のいずれか１項に記載のコアネットワークノード。
【請求項８】
コアネットワーク及び無線アクセスネットワークを含む移動通信ネットワークを介してMachine Type Communication（MTC）デバイスと通信するMTCアプリケーションサーバに対して前記移動通信ネットワークによって提供されるサービスを利用できるようにするためのアプリケーション・プログラミング・インタフェース（API）を提供するサービス能力エンティティであって、
前記MTCデバイスの移動特性を示す第１のメッセージを前記コアネットワーク内のネットワーク・エンティティに送信する手段を備え、
前記第１のメッセージは、（ａ）前記MTCデバイスに個別に適用される周期的な位置更新タイマの長さ及び（ｂ）前記MTCデバイスに個別に適用されるページングエリアのサイズのうち少なくとも一方の前記コアネットワークにおける更新を引き起こす、
サービス能力エンティティ。
【請求項９】
コアネットワーク内に配置されるコアネットワークノードによって行われる方法であって、
Machine Type Communication（MTC）デバイスの移動特性を、MTCサービスプラットフォームから、前記コアネットワーク内のネットワーク・エンティティを介して受信すること、及び
（ａ）前記MTCデバイスに個別に適用される周期的な位置更新タイマの長さ及び（ｂ）前記MTCデバイスに個別に適用されるページングエリアのサイズのうち少なくとも一方を前記移動特性に基づいて更新すること、
を備える、方法。
【請求項１０】
コアネットワーク内に配置されるコアネットワークノードによって行われる方法をコンピュータに行わせるためのプログラムであって、
前記方法は、
Machine Type Communication（MTC）デバイスの移動特性を、MTCサービスプラットフォームから、前記コアネットワーク内のネットワーク・エンティティを介して受信すること、及び
（ａ）前記MTCデバイスに個別に適用される周期的な位置更新タイマの長さ及び（ｂ）前記MTCデバイスに個別に適用されるページングエリアのサイズのうち少なくとも一方を前記移動特性に基づいて更新すること、
を備える、プログラム。
【国際調査報告】
2016009579.tif 000010
2016009579.tif 000011
2016009579.tif 000012
2016009579.tif 000013